(57)【要約】【課題】  物干し竿は常時ベランダ等の外部に設置され洗濯物を干すための道具として使われている。日差しが厳しい夏期シーズンなど東西南方位の間取りでは、日除けシート張り等の日除け対策が実施され、夏期シーズンが終わると幕体及び支柱パイプ等を梱包し収納する面倒な作業や収納場所が問題になる、簾に関してはカビや汚れ等で次シーズン使用しないケースがある。【解決手段】  本発明は、物干し竿の内部にロールスクリーン機能が内蔵されていることで、洗濯物を干しながら必要な時に迅速に日差し対策が可能である。急な雨天時も物干し竿パイプの下部に等間隔に開いた水はけ口から雨水を吐き出すため使用可能である。冬期シーズンなど未使用時は、ロールスクリーンの遮光性幕体を物干し竿内部に収納可能なため遮光性幕体を梱包し収納する手間や収納場所も必要ない。【選択図】図６
2014100446.tif 000002
【特許請求の範囲】
【請求項１】
大きくは、天井から伸び下りてくる引上げワイヤー部とロールスクリーン内蔵物干し竿とから成る発明本体セットにおいて、引上げワイヤー部は、天井等に固定された天井基盤収納ボックスが、ワイヤー収納ボックスを左右に移動可能としたスライド板を介して、前記ワイヤー収納ボックスと連結し、前記ワイヤー収納ボックスの内部には、ワイヤーと連結した巻き上げ式発条が装備されており、ワイヤーフック部は、前記ワイヤーの先端に接続され引合うバネで連結されたフックを両端に装備し、前記フックの先端は傾斜鍵状の形態でフック引っ掛け部にスムーズに片手で接続できて、ロールスクリーン内蔵物干し竿は、両側面一帯に平面を有するハンガー引っ掛け部が設けられた変形筒棒状の物干し竿用パイプの内部に、遮光性幕体の発条式ロールスクリーンを装備し両端をキャップで固定したものであり、前記物干し竿用パイプの上部には、前記発条式ロールスクリーンの遮光性幕体が通過するための昇降口が設けられており、前記発条式ロールスクリーンの遮光性幕体の先端に設けられたスクリーン収納蓋で開閉できる構造、前記スクリーン収納蓋は、中央上部に前記フック引っ掛け部を有し、前記物干し竿用パイプの下部には、等間隔に穴が開いた水はけ口を設け、前記ハンガー取手引っ掛け部にハンガー取手部及びハンガー基礎部の先端を引っ掛け、ハンガー吊り部を介してハンガーを設置できることを特徴としたロールスクリーン内蔵物干し竿セット。
【発明の詳細な説明】
【技術分野】
【０００１】  本発明は、筒状のパイプ内空洞部に日除け及び雨避け用の遮光性幕体及び発条機能を有したロールスクリーン内蔵物干し竿及び洗濯物掛けに関する。
【技術背景】
【０００２】  日除け雨よけ機能やプライバシー保護のための目隠し機能、及び涼しさと開放感の確保等が適宜選択的に得られるロールスクリーン装置が提案されている。例えば、戸口周辺の左右及び中央に縦配置される設置フレームからなる設置手段で、そのフレームに幕体が取付けられた水平棒を利用し展張する構造と開示されている（特許文献１参照）。また、戸口周辺に複数のフレームを設置し、設置フレーム上部からロールスクリーン状の幕体が庇状として出される形態と開示されている（特許文献２参照）。
【先行技術文献】
【特許文献】
【０００３】
【特許文献１】  特許公開２００６−２８９２６号広報
【特許文献２】  特許公開２００７−９６５６号広報
【発明の概要】
【発明が解決しようとする課題】
【０００４】  特許文献１の日除け装置では、戸口周辺に複数の支柱及び幕体が設置されているため、ベランダ等への出入りが不便であるとともにベランダ等外部での日除け効果機能が提供されていない。また、複数のフレームで構成されているため、未使用時期は解体し収納することとなり、使用する際は再度面倒な組み立て作業が必要となり不便である。特許文献２の日除け及び雨避け用のロールスクリーン装置では、戸口周辺に複数の支柱を固定し、その上部に幕体が装着されているため、上部が重い構造になっていることで強風等の影響でバランスを崩し落下するケースが想定される。また、上部から傾斜しながら地面下部まで幕体が降下されることが出来ないため、真上からの日差しには効果があるが朝日または西日など横からの日差しには対応できない。また、未使用時期は解体し収納することとなり、使用する際は再度面倒な組み立て作業が必要となり不便である。また、戸口周辺の複数の支柱やサッシ等が、夏期の日差しで高温に焼かれ室内温度を上昇させるため、エアコン等の電化製品の性能悪化など、節電効果は期待できない。
本発明は、以上の問題点を解決するためになされたものである。
【課題を解決するための手段】
【０００５】  大きくは、天井から伸び下りてくる引上げワイヤー部とロールスクリーン内蔵物干し竿とから成る発明本体セットにおいて、引上げワイヤー部は、天井等に固定された天井基盤収納ボックスが、ワイヤー収納ボックスを左右に移動可能としたスライド板を介して、前記ワイヤー収納ボックスと連結する構造。前記ワイヤー収納ボックスの内部にはワイヤーと連結した巻き上げ式発条が装備された構造。ワイヤーフック部は前記ワイヤーの先端に接続され引合うバネで連結されたフックを両端に装備する構造。前記フックの先端は傾斜鍵状の形態でフック引っ掛け部にスムーズに片手で接続できる構造。ロールスクリーン内蔵物干し竿は、両側面一帯に平面を有するハンガー引っ掛け部が設けられた変形筒棒状の物干し竿用パイプの内部に、遮光性幕体の発条式ロールスクリーンを装備し、両端をキャップで固定した構造。前記物干し竿用パイプの上部に前記発条式ロールスクリーンの遮光性幕体が通過するための昇降口が設けられ前記発条式ロールスクリーンの遮光性幕体の先端に形設されたスクリーン収納蓋で開閉できる構造。前記スクリーン収納蓋は中央上部に前記フック引っ掛け部を備え付けた構造。前記物干し竿用パイプの下部には、等間隔に穴が開いた水はけ口を設ける。前記ハンガー取手引っ掛け部にハンガー取手部及びハンガー基礎部の先端を引っ掛け、ハンガー吊り部を介して、ハンガーを設置できる形態。
以上の構成よりなるロールスクリーン内蔵物干し竿セットである。
【発明の効果】
【０００６】  本発明は、物干し竿の内部にロールスクリーン機能が内蔵されていることで、洗濯物を干しながら必要な時に迅速に日差し対策が可能である。急な雨天時も物干し竿パイプの下部に等間隔に開いた水はけ口があるので、雨水は溜まることなく自然に吐き出される。冬期シーズンなど未使用時は、ロールスクリーンの遮光性幕体を物干し竿内部に収納できるため、遮光性幕体を梱包し収納する手間や収納場所も必要ない。
【図面の簡単な説明】
【０００７】
【図１】本発明の使用状態を示す正面図
【図２】本発明の非使用状態を示す正面図
【図３】本発明の幕体展張経過状態を示す正面図
【図４】本発明一部であるロールスクリーン内蔵物干し竿の斜視図
【図５】本発明の使用状態を示す側面図
【図６】本発明の使用状態を示す斜視図
【図７】本発明の主要な構成を表わすイメージ図
【図８】図４のＣ部分の拡大図
【図９】洗濯物干しハンガーの使用状態を示す断面図
【発明を実施するための形態】
【０００８】  以下、本発明の実施の形態を説明する。
引上げワイヤー部（Ａ）は、天井等に固定された天井基盤収納ボックス（１）が、ワイヤー収納ボックス（３）を左右に移動可能としたスライド板（２）を介して、前記ワイヤー収納ボックス（３）と連結する構造。前記ワイヤー収納ボックス（３）の内部にはワイヤー（４）と連結した巻き上げ式発条が装備された構造。ワイヤーフック部（５）は、前記ワイヤー（４）の先端に接続され引合うバネで連結されたフック（１６）を両端に装備する構造。前記フック（１６）の先端は傾斜鍵状の形態で、フック引っ掛け部（６）にスムーズに片手で接続できる構造。ロールスクリーン内蔵物干し竿（Ｂ）は、両側面一帯に平面を有するハンガー引っ掛け部（１０）が設けられた変形筒棒状の物干し竿用パイプ（１３）の内部に、遮光性幕体の発条式ロールスクリーン（８）を装備し両端をキャップ（１１）で固定した構造。前記物干し竿用パイプ（１３）の上部に、前記発条式ロールスクリーン（８）の遮光性幕体が通過するための昇降口（９）が設けられ、前記発条式ロールスクリーン（８）の遮光性幕体の先端に形説されたスクリーン収納蓋（７）で開閉できる構造。前記スクリーン収納蓋（７）は、中央上部に前記フック引っ掛け部（６）を備え付けた構造。前記物干し竿用パイプ（１３）の下部には、等間隔に穴が開いた水はけ口（１２）を設ける。前記ハンガー取手引っ掛け部にハンガー取手部（１７）及びハンガー基礎部（１８）の先端を引っ掛け、ハンガー吊り部（１９）を介して、ハンガー（２０）を設置できる形態。
本発明は以上のような構造である。
本発明を使用するときは、引上げワイヤー部（Ａ）を天井等に固定し、ロールスクリーン内蔵物干し竿（Ｂ）を外部接続クリップ（１４）及び竿固定クリップ（１５）にて備え付けの竿掛けまたはベランダの手摺等へ固定する。展張の際は、伸縮棒（２１）を伸ばし、先端に取付けられた伸縮棒フック（２２）をワイヤーフック部（５）付属の下降用フック（２３）に引っ掛け、手動で下降させ、ワイヤーフック部（５）とフック引っ掛け部（６）を接続させ、手を離すとワイヤー収納ボックス（３）内部の巻き取り発条の引力でワイヤー（４）が巻き取られ、スクリーン収納蓋（７）と連結した発条式ロールスクリーン（８）が上昇し、遮光性幕体が展張されて使用可能となる。洗濯物を干す場合は、部分拡大図で表わす箇所を示す円（Ｃ）に示した、物干し竿用パイプ（１３）に設けられたハンガー取手引っ掛け部（１０）にハンガー取手部（１７）及びハンガー基礎部（１８）を固定することで、付属のハンガー（２０）が使用可能となる。
【符号の説明】
【０００９】  １  天井基盤収納ボックス
２  スライド板
３  ワイヤー収納ボックス
４  ワイヤー
５  ワイヤーフック部
６  フック引っ掛け部
７  スクリーン収納蓋
８  発条式ロールスクリーン
９  ロールスクリーン昇降口
１０  ハンガー取手引っ掛け部
１１  キャップ
１２  水はけ口
１３  物干し竿用パイプ
１４  外部接続クリップ
１５  竿固定クリップ
１６  フック
１７  ハンガー取手部
１８  ハンガー基礎部
１９  ハンガー吊り部
２０  ハンガー
２１  伸縮棒
２２  伸縮棒フック
２３  下降用フック
Ａ  引上げワイヤー部
Ｂ  ロールスクリーン内蔵物干し竿
Ｃ  部分拡大図で表わす箇所を示す円
【図１】
2014100446.tif 000003
【図２】
2014100446.tif 000004
【図３】
2014100446.tif 000005
【図４】
2014100446.tif 000006
【図５】
2014100446.tif 000007
【図６】
2014100446.tif 000008
【図７】
2014100446.tif 000009
【図８】
2014100446.tif 000010
【図９】
2014100446.tif 000011